(57)【要約】【課題】  複写機やプリンタ等により、画像形成物質（以後、トナー）を安定に付着した画像保持体（以後、用紙）に、トナーと用紙の付着力を弱める剥離液を塗布した後、用紙を剥離部材に圧接、加熱して引き離す際、トナーを剥離部材に付着転移させて取り除き再使用可能にする画像保持体再生装置において、除去しにくい低融点トナーによる画像を完全に除去可能にする事、及び用紙に塗布する剥離液の使用量を減らし、用紙の再生回数を確保すること。【解決手段】  用紙の表面に、常温で水分子を吸着し、約４０℃以下で水分子を安定に保持し、約４０℃以上もしくはトナーの定着温度以上に加熱すると水分子を放出する水和物、もしくは水和物を含有した物質を塗布する。【選択図】図１
2005070719.tif 000002
【特許請求の範囲】
【請求項１】
表面に画像形成物質が付着した画像保持体を加熱して、剥離部材に圧接、剥離して画像形成物質を画像保持体側から剥離部材側に転写して画像を消去することで再使用が可能になる画像保持体において、表面もしくは表裏両面に、常温で水分子を吸着し、約４０℃以下で水分子を安定に保持し、約４０℃以上若しくは画像形成物質の定着温度以上に加熱すると水分子を放出する水和物もしくは水和物を含有した物質を予め塗布したことを特徴とする画像保持体。
【発明の詳細な説明】
【技術分野】
【０００１】常温で、表面に安定に付着した熱溶融性または熱可塑性の画像形成物質を除去可能な画像保持体に関するものである。
【背景技術】
【０００２】  近年、ＯＡ化の急速な進展に伴い、オフィスにおいてプリンタ用紙・コピー用紙が大量に使用されることが問題となっている。オフィスにおける大量使用は、森林伐採による地球環境破壊の問題ともなり、使用済み用紙を再生紙として使用することが必要となっている。【０００３】  従来、使用済みの用紙は、離解、除塵、脱インク、漂白、抄紙の工程を経て再生する方法がとられていた。しかし、この方法は、大量の水やエネルギーを消費する欠点が有り、この欠点を解決する為、画像保持体としての用紙から画像形成物質を除去して再使用可能にする方法がいろいろ開発されている。【０００４】  例えば、このような目的に使う画像保持体として特開平４−６７０４３号公報に記載されているように、画像形成物質としてのトナーを剥離しやすいように、あらかじめ画像保持体表面（特に片面）に離型処理したものを用いることが開示されている。しかし、これはトナーの定着性が悪く使用に難点が伴う。【０００５】  その他、画像保持体から画像形成物質の除去を容易にする手段として、特開平６−２２２６０４号公報のように、水によって膨潤するが流出して消失しない、親水性でかつ空気中常温で固体状の樹脂を主成分とする膜からなる物体の表面に固定化した皮膜を形成することで、水によって画像形成物質をくり返し除去可能にする方法がある。【０００６】  特開平７−３１１５２３号公報のように、画像保持体の画像が形成される側の表面近傍に、セルロース繊維以外の繊維材料を主体とし、画像除去促進液体の付与により、皮膜状に形成された画像よりも大きく膨潤する表面近傍層を形成する方法がある。【０００７】  特開平１１−１７４７０９号公報のように、基材層、および水溶性の樹脂を親水性イソシアネート化合物で架橋させてなる水膨潤性の表層を備えた画像保持体（被記録材）、が開示されている。
【特許文献１】特開平４−６７０４３広報（第２ページ、図１）
【特許文献２】特開平６−２２２６０４号公報（第３ページ）
【特許文献３】特開平７−３１１５２３号公報（第４ページ、図１）
【特許文献４】特開平１１−１７４７０９号公報（第２ページ、図１）
【０００８】  しかし、これらの画像保持体を膨潤層として親水性樹脂を架橋させたものを用いる方法や、画像保持体の表面に形成された膨潤層を水等により濡らして膨潤させることにより付着した画像形成物質を除去する方法は、画像保持体に低融点トナーを使用した画像を除去することが困難である欠点が有った。
【発明の開示】
【発明が解決しようとする課題】
【０００９】  複写機やプリンタ等により、画像形成物質（以後、トナー）を安定に付着した画像保持体（以後、用紙）に、トナーと用紙の付着力を弱める剥離液を塗布した後、用紙を剥離部材に圧接、加熱して引き離す際、トナーを剥離部材に付着転移させて取り除き再使用可能にする画像保持体再生装置において、除去しにくい低融点トナーによる画像を完全に除去可能にする事、及び用紙に塗布する剥離液の使用量を減らし、用紙の再生回数を確保すること。
【課題を解決するための手段】
【００１０】  用紙の表面に、常温で水分子を吸着し、約４℃以下で水分子を安定に保持し、約４０℃以上もしくはトナーの定着温度以上に加熱すると水分子を放出する水和物、もしくは水和物を含有した物質を塗布する。
【発明の効果】
【００１１】  請求項１記載の用紙上のトナーを、剥離部材に圧接加熱すると、水和物から水分子が放出され、トナーと水和物の間に介在して剥離液を補佐することにより、用紙とトナーの付着力を低下させるので、用紙からトナーの剥離が容易になり、剥離しずらい画像形成物質である低融点トナー画像も容易に剥離できる。
【発明の実施例】
【００１２】  図１は本発明の画像保持体断面の概念図である。用紙の表面に加熱によって水分子を放出する物質、例えばＭｇＮＨ４ＰＯ４−６Ｈ２Ｏ，Ｎａ４Ｐ２Ｏ７−１０Ｈ２Ｏ，（ＮＨ４）３ＰＯ４−３Ｈ２Ｏ，Ｋ２ＨＰＯ４−３Ｈ２Ｏ，ＮａＮＨ４ＨＰＯ４−４Ｈ２Ｏ，ＣａＨＰＯ４−２Ｈ２Ｏ，ＭｇＳＯ４−（ＮＨ４）−６Ｈ２Ｏ，ＭｇＨＰＯ４−６Ｈ２Ｏのような水和物を塗布する。なお、水和物は以上のものに限定されるものではない。
【００１３】  塗布する水和物が水分子を放出する温度は４０〜１２０℃が好ましい。４０℃未満では保存中に水和物中の水分子が放出してしまい、１２０℃を越えるとトナーの粘弾性を大幅に低下させる事により、水和物介在による能力が有効に発揮されない。また、高温加熱による用紙への熱ダメージが大きく、用紙の再利用に好ましくない影響を与える。
【００１４】  本発明を応用する画像保持体再生装置の概要を、図３により説明すると、トナーが付着した用紙１を給紙ローラ６にて給液部に送り込み、剥離液７に浸漬して回転する剥離液塗布ローラ５に接触させることで剥離液を表面に付与して剥離部に送り込み、用紙を対抗ローラ９により剥離部材８に圧接してトナーを用紙側から剥離部材８側に転写して取り除き最後に仕上げ部で剥離液を乾燥させて再生する。剥離部材８に転写したトナーはクリーニングローラ１４で取り除き、くり返し使用する。
【００１５】  なお、対抗ローラ９は対抗ローラ加熱ヒータ１１で、剥離ローラ１０は剥離ローラ加熱ヒータ１１ａで加熱され、図示しない温度制御装置により所定の温度に制御される。剥離部材８は、駆動ローラ１２に結合された図示しない駆動モータにより駆動される。
【００１６】  また、剥離液７（界面活性剤）は、本発明を十分に機能させるには重要な要素であり、これには、陰イオン（アニオン）系界面活性剤、陽イオン（カチオン）系界面活性剤、両性界面活性剤、非イオン（ノニオン）系界面活性剤などが有り、これらいずれの種類の界面活性剤でも用い得るが、再生した紙（画像保持体）の表面抵抗を変化させにくいという観点から非イオン（ノニオン）系界面活性剤の使用が好ましい。
【００１７】  またシリコン系界面活性剤、特に疎水基の少なくとも一部がメチルシロキサンからなり、親水基の一部が少なくともポリアルキレンオキシド、またはカルボン酸基であるシリコン系界面活性剤は、定着時に付着するシリコンオイルによる再生劣化を改善し白色度を高めることができ、さらに好ましい。前記界面活性剤は水を含む液体として使用される。
【００１８】  このような工程を経て用紙は再生されるが、本発明による用紙からトナーを除去して再生する原理を図２により説明すれば、水和物２を表面に塗布され、トナー３の付着した用紙１を剥離ローラ加熱ヒータ１１ａにて加熱された剥離部材８と対抗ローラ加熱ヒータ１１にて加熱された対抗ローラ９により、剥離部材８に加熱圧接されながら送られるとき、加熱により水和物２の中の水分子４が水和物２とトナー３の間に放出され、画像剥離液の役割を補佐して付着力が弱められるのでトナー３は剥離部材８側に転写され、用紙から取り除かれる。
【図面の簡単な説明】
【００１９】
【図１】表面に水和物を塗布した画像保持体断面の概念図
【図２】画像形成物質が画像保持体から剥離される概念図
【図３】画像保持体再生装置の概略図
【符号の説明】
１  用紙（画像保持体）
１  水和物
２  トナー（画像形成物質）
３  水分子
４  剥離液塗布ローラ
５  給紙ローラ
６  剥離液
７  剥離部材（剥離ベルト）
８  対抗ローラ
９  剥離ローラ
１０対抗ローラ加熱ヒータ
１１ａ剥離ローラ加熱ヒータ
１１ｂ加熱ヒータ
１１駆動ローラ
１２仕上げユニット
１３クリーニングローラ
【図１】
2005070719.tif 000003
【図２】
2005070719.tif 000004
【図３】
2005070719.tif 000005